(57)【要約】  【課題】  被覆材に局部応力が集中することがなく、着脱が容易で、強風下でも被覆材が飛ばされることのない、ハウス被覆材固定装置を提供することを目的とする。  【解決手段】  農業用ハウスの骨組み構造（12）にビニールフィルム（22）を固定するための装置（10）は、剛性材料で形成され上方に先細の長手方向溝（18）を有する桟（14）と、この桟（14）の入口開口（20）から溝（18）内に圧入される抜け止め部材（16）を有する。抜け止め部材（16）は中空管で形成されているので、抜け止め部材と被覆材との間の接触は線接触となり、被覆材が破れにくい。抜け止め部材（16）は僅かな弾性変形を許容する硬質合成樹脂で形成されており、長手方向に可撓性を有するので、巻き取りドラムなどに巻き取ることができる。  【選択図】      図１
2005168307.tif 000002
【特許請求の範囲】
【請求項１】
農業用ハウスの骨組み構造にハウス被覆材を固定するための装置であって：
前記骨組み構造に固着可能な桟であって、実質的に剛性の材料で形成され、上方に開口した入口開口を備え上方に向けて先細の少なくとも１つの長手方向溝を有するものと、
僅かな半径方向弾性変形を許容する硬質合成樹脂からなる可撓性の中空管で形成され、前記桟の溝の入口開口の寸法よりも僅かに大きな外径を有し、前記桟の長手方向溝に着脱自在に長手方向に締まり嵌め可能な抜け止め部材、
とを備え、前記桟の上にハウス被覆材を配置し、前記抜け止め部材を桟の長手方向溝にハウス被覆材と共に締まり嵌めすることにより被覆材を固定するようにしたことを特徴とするハウス被覆材固定装置。
【請求項２】
前記桟はアルミニウムなどの軽金属で形成されていることを特徴とする請求項１に基づくハウス被覆材固定装置。
【請求項３】
前記桟は実質的に剛性の合成樹脂で形成されていることを特徴とする請求項１に基づくハウス被覆材固定装置。
【請求項４】
前記固定装置は農業用ハウスの屋根に取付られることを特徴とする請求項１から３のいづれかに基づくハウス被覆材固定装置。
【請求項５】
前記固定装置は農業用ハウスの側壁に取付られることを特徴とする請求項１から３のいづれかに基づくハウス被覆材固定装置。
【請求項６】
前記桟は平行に配置された２本の前記長手方向溝を備え、ハウス被覆材は前記２本の長手方向溝に夫々締まり嵌めされた２本の抜け止め部材により固定されることを特徴とする請求項１から５のいづれかに基づくハウス被覆材固定装置。
【請求項７】
前記抜け止め部材はウレタン樹脂で形成されていることを特徴とする請求項１から６のいづれかに基づくハウス被覆材固定装置。
【発明の詳細な説明】
【技術分野】
【０００１】
本発明は、農業用ビニールハウスの骨組み構造にビニールフィルムなどからなるハウス被覆材を固定するための装置に関する。
【背景技術】
【０００２】
農業用ビニールハウスは鋼管などからなる骨組み構造にビニールフィルムなどからなる被覆材を固定することにより構成される。
ハウスの骨組み構造にビニールフィルムなどの被覆材を固定するための従来の装置は、例えば、特開平9-14222号の図１に示してある。
従来の固定装置は、前記公報の図１に示されているように、アルミニウムの押し出し成形により形成された蟻溝形の桟と、この桟の蟻溝形の溝に嵌合される“ピリペット”と呼ばれるジグザク形のスプリングで構成されている。
【０００３】
ピリペットによる固定方法には多くの難点がある。
即ち、ピリペットを手で桟の蟻溝形の溝に押し込むにはかなりの力を要し、たちまち手が痛むので、作業を度々中断しなければならない。
また、ジグザク形のピリペットとビニールフィルムとの接触は点接触となり、ビニールフィルムは局部的な引っ張り力を受けるので、ビニールフィルムが破れやすい。ビニールフィルムが破れると雨漏りが起こり、ハウス内の培地が大気中の細菌で汚染される。
【０００４】
ピリペットは１間（１.８メートル）程度の長さしかないので、作業員は多数本の束を携帯し、この束から１本づつ引き抜きながら固定作業をするが、ピリペットはジグザク形になっているので束から引き抜くのが面倒である。また、ピリペットを配るための人員が余計に一人必要である。
ピリペットは、また、取り外すにも手間がかかり、ペンチなどの工具を必要とする。ピリペット自体にはビニール樹脂からなる被覆が設けてあるが、取り外す際にビニール被覆が破れるので、２〜３年の寿命しかない。
【特許文献１】特開平9-14222号公報には、蟻溝形の裾拡がり形断面を備えた止着具が開示してある。  この裾拡がり形の止着具を桟の蟻溝形の溝に押し込むには、止着具を所定の水平な姿勢に保持しなければならないと共に、止着具の裾を押し狭めるためにかなりの力を要するので、フィルム固定作業が面倒である。
【特許文献２】特開2000-262157には、隙間を隔てて相対峙する一対の凹んだフランジを備えたチャンネル形のレールと、この隙間に押し込まれる樹脂製の紐又は留具とを備えた固定装置が開示されている。  この固定装置は、レールのフランジが撓みやすいので、ビニールフィルムに強い引っ張り力が作用した時には容易に紐又は留具が外れるという難点がある。
【発明の開示】
【発明が解決しようとする課題】
【０００５】
本発明の主たる目的は、叙上の難点のない農業用ハウス被覆材固定装置を提供することにある。
より詳しくは、本発明の目的は、ビニールフィルムのようなハウス被覆材と桟および抜け止めインサートとの間の接触が線接触となり、よって、被覆材に局部応力が集中することのないハウス被覆材固定装置を提供することにある。
本発明の他の目的は、作業員の手に苛酷な負担をかけることがなく、容易に装着することの可能なハウス被覆材固定装置を提供することにある。
本発明の他の目的は、ハウス被覆材に強い引っ張り力が作用した時にも外れることのないハウス被覆材固定装置を提供することにある。
本発明の他の目的は、巻き取りドラムなどにコンパクトに巻き取り可能な長尺物からなる構成要素を備えたハウス被覆材固定装置を提供することにある。
本発明の他の目的は、取り外し容易なハウス被覆材固定装置を提供することにある。
本発明の他の目的は、止着部材に方向性がなく、止着部材の方向に無頓着に装着することの可能なハウス被覆材固定装置を提供することにある。
本発明の他の目的は、永年にわたり反復使用可能な耐久性のあるハウス被覆材固定装置を提供することにある。
【課題を解決するための手段】
【０００６】
本発明は、農業用ハウスの骨組み構造にハウス被覆材を固定するための装置を提供するもので、この装置は、（イ）前記骨組み構造に固着可能な桟であって、実質的に剛性の（即ち、弾性変形不能の）材料で形成され、上方に開口した入口開口を備え上方に向けて先細の少なくとも１つの長手方向溝を有するものと、（ロ）僅かな弾性変形を許容する硬質合成樹脂（ビニール不可）からなる可撓性（長手方向に可撓性）の中空管で形成され、前記桟の溝の入口開口の寸法よりも僅かに大きな外径を有し、前記桟の長手方向溝に着脱自在に長手方向に締まり嵌め可能な抜け止め部材（インサート）、とを備えていることを特徴とする。
【０００７】
使用に際しては、前記桟の上にハウス被覆材を配置し、抜け止め部材を桟の長手方向溝にハウス被覆材と共に締まり嵌めすることにより、被覆材がハウス骨組み構造に固定される。
このように抜け止め部材は中空管で形成されているので、抜け止め部材と被覆材との間の接触は線接触となる。従って、被覆材に局部応力が集中することがなく、被覆材が破れにくいという利点がある。
また、中空管からなる抜け止め部材としては巻き取りドラムなどにコンパクトに巻き取った長尺物を使用することができるので、搬送・携帯が便利であり、適宜切断しながら使用することができる。
【０００８】
この長尺物の抜け止め部材は桟の溝の入口開口の寸法よりも僅かに大きな外径を有する可撓性の中空管で形成されているので、手、足、又はローラーを用いて一端から順次に桟の長手方向溝に押し込むだけで桟に装着することができ、過大な力を用いることなく装着することができる。
抜け止め部材は円形断面の中空管からなるので、被覆材を剥がすにあたり簡単に桟から取り外すことができる。また、円形断面の中空管からなる抜け止め部材は方向性がないので、円周方向位置に無頓着に装着することができる。中空管からなる抜け止め部材は桟の溝に着脱しても損傷することがないので、永年にわたり反復使用することができる。
【０００９】
好ましい実施態様においては、桟はアルミニウムなどの軽金属、又は、実質的に剛性の合成樹脂で形成されている。
従って、ハウス被覆材に強い引っ張り力が作用した時にも抜け止め部材が外れることのない。
【００１０】
他の実施態様においては、桟は平行に配置された２本の前記長手方向溝を備え、ハウス被覆材は前記２本の長手方向溝に夫々締まり嵌めされた２本の抜け止め部材により固定される。
本発明の固定装置は農業用ハウスの屋根および／又は側壁に取付けて使用することができる。
【００１１】
本発明の上記特徴や効果並びに他の特徴や効果は以下の実施例の記載につれて更に明らかにする。
【発明を実施するための最良の形態】
【００１２】
図１は本発明のハウス被覆材固定装置の第１実施例を示すもので、この固定装置１０は、農業用ハウスの骨組み構造１２にビスなどにより固着するようになった桟１４と、この桟に着脱自在に嵌合するようになった中空管状の抜け止め部材（インサート）１６とを有する。
図１に示した実施例では、桟１４は硬質プラスチックで形成されており、弾性変形を殆ど許容しない程度の剛性を有する。
桟１４には、上方に向けて先細の長手方向溝１８が設けてあり、この溝１８は上方に開口した入口開口２０を有する。
【００１３】
抜け止め部材（インサート）１６はウレタン樹脂のような僅かな弾性変形を許容する硬質合成樹脂で形成された中空管からなる。従って、この管状抜け止め部材１６は長手方向に可撓性を有し、巻き取りドラム（図示せず）に長尺物を巻き取った状態で農場に搬入し使用に供することができる。
抜け止め部材１６は桟１４の長手方向溝１８の入口開口２０の寸法よりも僅かに大きな外径を有する。
【００１４】
この抜け止め部材１６は僅かな弾性変形を許容する硬質合成樹脂で形成されているので、半径方向に僅かに圧縮可能である。
従って、抜け止め部材１６を桟１４の入口開口２０を経て長手方向溝１８内に押し込むと、抜け止め部材１６は僅かに半径方向に圧縮されながら溝１８内に締まり嵌めする。
【００１５】
農業用ビニールフィルムのようなハウス被覆材２２を農業用ハウスの骨組み構造１２に固定するに際しては、先ず、ビスなどにより必要数の桟１４を骨組み構造１２に取付け、図１に示したように桟１４の上にハウス被覆材２２を被せる。次に、巻き取りドラムから抜け止め部材１６を少しづつ繰り出しながら、被覆材２２を敷き込みながら抜け止め部材１６をその一端から順次に桟１４の長手方向溝１８に押し込む。押し込みは、手、足又はローラー（図示せず）を用いて行うことができる。
使用する抜け止め部材１６の外径、および／又は、桟１４の入口開口２０の寸法は、ハウス被覆材２２の厚さに応じ、抜け止め部材１６がハウス被覆材と共に桟１４の長手方向溝１８にしっかりと締まり嵌めするように選定することができる。
【００１６】
抜け止め部材１６はウレタン樹脂のような硬質合成樹脂で形成されているので、強風などによる強い引っ張り力がハウス被覆材２２に作用しても、桟１４から外れることがない。
塩化ビニル樹脂のような弾性変形しやすい軟質合成樹脂からなる中空管は使用に適さない。
【００１７】
ハウス被覆材２２を取り外すに際しては、抜け止め部材１６の任意の一端から持ち上げながら抜け止め部材１６を桟１４から取り外し、巻き取りドラムなどに巻き取る。
【００１８】
図２は本発明のハウス被覆材固定装置の第２実施例を示す。第１実施例と共通する構成要素は同じ参照番号で示し、重複説明は省略する。
相違点のみ説明するに、この実施例は桟１４をアルミニウムのような軽金属の押し出し成形により形成したことを特徴としている。
桟１４は、農業用ハウスの骨組み構造に固着可能な水平な底壁２４と、内側に傾斜した一対の側壁２６を有し、底壁２４と一対の側壁２６により上方に開口した先細の溝１８が画成されている。各側壁２６の頂部には補強用のビード２８が形成してある。
第２実施例の桟１４には第１実施例と同様の中空管状の抜け止め部材１６が着脱自在に嵌合（締まり嵌め）される。抜け止め部材１６および被覆材２２のの着脱のやり方は第１実施例と同様であり、説明を要しないであろう。
【００１９】
図３は本発明のハウス被覆材固定装置の第３実施例を示す。第１実施例と共通する構成要素は同じ参照番号で示し、重複説明は省略する。
相違点のみ説明するに、この実施例は桟１４が平行な２つの溝１８を備えており、被覆材２２は２本の抜け止め部材１６を用いてより強固に固定されるようになっていることを特徴としている。
【００２０】
以上には本発明の特定の実施例を記載したが、本発明はこれに限定されるものではなく、種々の修正や変更を施すことができる。例えば、桟１６の断面形状は、多角形、長円形、楕円形、その他任意の形状を取り得る。また、抜け止め部材１６は必ずしも長尺物である必要はなく、所定長さに切断したものも使用することができる。
【図面の簡単な説明】
【００２１】
【図１】本発明のハウス被覆材固定装置の第１実施例の一部切欠き斜視図である。
【図２】本発明のハウス被覆材固定装置の第２実施例の断面図である。
【図３】本発明のハウス被覆材固定装置の第３実施例の断面図である。
【符号の説明】
【００２２】
１０：  ハウス被覆材固定装置
１２：  農業用ハウスの骨組み構造
１４：  桟
１６：  抜け止め部材
１８：  長手方向溝
２０：  入口開口
２２：  ハウス被覆材
【図１】
2005168307.tif 000003
【図２】
2005168307.tif 000004
【図３】
2005168307.tif 000005